(57)【要約】【課題】光ファイバの余長部分の長さが大きく、そのループの長さが定かでない場合でも、短くコンパクトに巻くことも、中位の長さに巻くことも、大きなループで巻くことも多様にできる等、多彩な巻き方が選択できるようにした。【解決手段】ケース本体には光受信部と、光ファイバ収容部とを備え、光ファイバ収容部は、周囲に安全曲率の範囲内で小さい曲率に形成されている周壁２６ａを有する第１巻枠２６と、第２巻枠２７とを並置させ、第１巻枠２６と第２巻枠２７の周壁２６ａの外周から遠く離れた複数個所に、光ファイバを大きな曲率で配置することを許容するように、光ファイバの外周位置規制用の跳止壁２９ｂを夫々自立状に並設し、第１巻枠２６と第２巻枠２７との間は、一部において重合させ、重合部においては、そこを、第１巻枠２６の周壁２６ａとしても使え、第２巻枠２７の周壁２７ａとしても使えるようにした。【選択図】        図１
2005024760.tif 000002
【特許請求の範囲】
【請求項１】
ケース本体にはＯ／Ｅ変換手段を備える光受信部と、
余長の光ファイバ収容部とを備えている光受信機において、
上記光受信部と余長の光ファイバ収容部とは、余長の光ファイバ収容部が上側となるように上下に重合させ、余長の光ファイバ収容部は、基板の上面に対し周囲に光ファイバの添付を可能とする安全曲率の範囲内で小さい曲率に形成されている周壁を有する第１巻枠と、第２巻枠とを並置させ、  上記第１巻枠と、第２巻枠との並置の状態は、第１巻枠と、第２巻枠の中心点位置を中心にして上記安全曲率が得られる半径で描かれる円弧の一部が半径方向において相互に重合するように、第１巻枠と、第２巻枠の中心点位置を相互に近づけ、
第１巻枠と第２巻枠との上記重合部においては、第１巻枠と第２巻枠との外周位置に対し、夫々個別に光ファイバを安全曲率の範囲内で巻付け可能に、第２巻枠に対しては両側に第１巻枠の外周円弧面に向けて夫々開口させた開口部を有する空間を構成し、かつ、その空間の第１巻枠寄りには円弧状の光ファイバ添付の為の周壁を形成し、第１巻枠に対しては両側に第２巻枠の外周円弧面に向けて夫々開口させた開口部を有する空間を構成し、かつ、その空間の第２巻枠寄りに円弧状の光ファイバ添付の為の周壁を形成したことを特徴とする光受信機。
【請求項２】
上記第２巻枠には、第１巻枠と第２巻枠に対して右回りに巻け付け可能に光ケーブル出入口から挿入される光ファイバを、逆向きの左回りのいずれかにでも巻き付け可能にする為に、光ケーブル出入口と、第１巻枠における左回り巻き付けの始端との間に光ファイバを通過させる為の上記安全曲率以上の曲率に形成した光ファイバ通路が設けられていることを特徴とする請求項１の光受信機。
【請求項３】
ケース本体にはＯ／Ｅ変換手段を備える光受信部と、余長の光ファイバ収容部とを備えている光受信機において、
上記光受信部と余長の光ファイバ収容部とは、余長の光ファイバ収容部が上側となるように上下に重合させ、余長の光ファイバ収容部は、基板の上面に対し周囲に光ファイバの添付を可能とする安全曲率の範囲内で小さい曲率に形成されている周壁を有する第１巻枠と、第２巻枠とを並置させ、上記第１巻枠と、第２巻枠との並置の状態は、第１巻枠と、第２巻枠の中心点位置を中心にして上記安全曲率が得られる半径で描かれる円弧の一部が半径方向において相互に重合するように、第１巻枠と、第２巻枠の中心点位置を相互に近づけ、
第１巻枠と第２巻枠との上記重合部においては、第１巻枠と第２巻枠との外周位置に対し、夫々個別に光ファイバを安全曲率の範囲内で巻付け可能に、第２巻枠に対しては両側に第１巻枠の外周円弧面に向けて夫々開口させた開口部を有する空間を構成し、かつ、その空間の第１巻枠寄りには円弧状の光ファイバ添付の為の周壁を形成し、第１巻枠に対しては両側に第２巻枠の外周円弧面に向けて夫々開口させた開口部を有する空間を構成し、かつ、その空間の第２巻枠寄りに円弧状の光ファイバ添付の為の周壁を形成し、さらに上記基板の上面に対しては、上記第１巻枠と第２巻枠の夫々の周壁の外周から遠く離れた複数個所に、第１巻枠と第２巻枠の周壁から間隙を隔てて光ファイバをより大きな曲率で配置することを許容するように、光ファイバの外周位置規制用の跳止壁を夫々自立状に並設し、かつそれらの跳止壁の上部には夫々対応する第１巻枠と、第２巻枠に向けて延出させた爪を備えさせたことを特徴とする光受信機。
【発明の詳細な説明】
【０００１】
【発明の属する技術分野】
本発明は、光伝送システムにおいて、光信号の取り込みを可能に光ケーブルをケースに引き込み、引き込んだ光ケーブルに対して、任意の通信機器（例えばメディアコンバータ）などに接続される引き出し側の光ケーブルを接続し、または、光信号をＴＶ受像機などで受信できるような電気信号に変換するＯ／Ｅ変換手段を備える光受信部を接続する場合に用いられる光受信機に関する。
【０００２】
【従来の技術】
従来から光受信機においては、ケース本体に対して引き込んだ光ケーブルと、引き出し側の光ケーブルとの接続作業を行う場合には、両者の接続を特殊な工具を用いて接続する関係から、光ケーブルの被覆を除去した後の光ファイバの長さが夫々数十センチ必要となる。その為、両者の接続作業を終えた後は光ファイバの余分な長い部分（余長部分）の処理をしなければならない。この場合光ファイバは一定の曲率よりも小さく巻き込むと光ファイバの組織が破壊する危険がある。そこで従来は安全を見込んで光ケーブルや、光ファイバはすこぶる大きな曲率で巻く。すると、その余長の光ケーブルや、光ファイバを傷めることは少なくなる。
（例えば、特許文献１参照）
【０００３】
【特許文献１】
特開平７−３２５２２７号公報（図１及び段落（０００９））
【０００４】
【発明が解決しようとする課題】
この従来の光受信機のように安全を見込んですこぶる大きな曲率で巻くと、光ファイバを収容する為のケースにおける専有面積が広くなり、それを納めるケースが大型になる問題点が発生する。
また光ファイバを大きなループの状態に巻くと、ケースを移動させる場合に、余長の光ファイバ収容部におけるループ状の光ファイバの一部が浮き上ったり、揺れてうねりを生じたりして、光ファイバを傷める問題点が生じる。
特に、余長部分の長さは、光ファイバ収容部におけるループ状の収納路の長さの整数倍ではない場合が殆どなので、光ファイバの余長部分をきっちりと上記ループ状の収納路に収めることのできない問題点もあった。
【０００５】
本件出願の目的は、引き込まれた光ファイバと、引き出す為の光ファイバとの余長部分が長くてもそれが邪魔にならないように丸め、小嵩に収納することができるようにした光受信機を提供しようとするものである。
他の目的は、余長部分を巻枠に対して巻付ける場合、緩く巻き付けても、きつく巻き付けても、光ケーブルの安全曲率以下には曲がらないようにして、作業時に、光ファイバの曲率が小さくなって損傷することを気にしなくてもよいようにした光受信機を提供しようとするものである。
他の目的は、光ファイバの余りの長さが大きく、しかも、ループ状で、そのループの長さが適当で定かでない場合でも、短くコンパクトに巻くこともできれば、中位の長さに巻くこともでき、さらには大きなループで巻くこともできる等、光ファイバの余長部分の長さに対応して多彩な巻き方が選択できるような光受信機を提供しようとするものである。
他の目的は、二つの巻枠の間は、一部において重合させ、重合部においては、そこを、第１巻枠の周壁としても使え、第２巻枠の周壁としても使えるようにし、巻態様の多様化と、余長部分を巻いた状態で納める部分の平面的な専有面積を小さくすることができる光受信機を提供しようとするものである。
他の目的及び利点は図面及びそれに関連した以下の説明により容易に明らかになるであろう。
【０００６】
【課題を解決するための手段】
本願発明における光受信機は、ケース本体にはＯ／Ｅ変換手段を備える光受信部と、余長の光ファイバ収容部とを備えている光受信機において、上記光受信部と余長の光ファイバ収容部とは、余長の光ファイバ収容部が上側となるように上下に重合させ、余長の光ファイバ収容部は、基板の上面に対し周囲に光ファイバの添付を可能とする安全曲率の範囲内で小さい曲率に形成されている周壁を有する第１巻枠と、第２巻枠とを並置させ、  上記第１巻枠と、第２巻枠との並置の状態は、第１巻枠と、第２巻枠の中心点位置を中心にして上記安全曲率が得られる半径で描かれる円弧の一部が半径方向において相互に重合するように、第１巻枠と、第２巻枠の中心点位置を相互に近づけ、第１巻枠と第２巻枠との上記重合部においては、第１巻枠と第２巻枠との外周位置に対し、夫々個別に光ファイバを安全曲率の範囲内で巻付け可能に、第２巻枠に対しては両側に第１巻枠の外周円弧面に向けて夫々開口させた開口部を有する空間を構成し、かつ、その空間の第１巻枠寄りには円弧状の光ファイバ添付の為の周壁を形成し、第１巻枠に対しては両側に第２巻枠の外周円弧面に向けて夫々開口させた開口部を有する空間を構成し、かつ、その空間の第２巻枠寄りに円弧状の光ファイバ添付の為の周壁を形成したものである。
【０００７】
【発明の実施の形態】
以下本願発明の実施の形態を示す図面について説明する。図１乃至図８において、３は、周知のようにオフィスビルやマンションなどの出入り口近くに設置する光受信機１におけるケース本体を示し、通常は任意の蓋体４を開閉自在に備える。４ａは蓋体４の止具を示す。５は、ケース本体３における収納空間を示し、Ｏ／Ｅ変換手段を備える光受信部１３と、余長の光ファイバ４４、４５、４６、４７を収容する為の収容部２４とを備えている。ケース本体３の前側の板体３ａは、例えば底部、側部３ｂを含む本体部分とプラスチック材で一体に形成してある。これに備える８、９は公知のテレビ信号を取り出す為の出力端子突出口を示す。前側の板体の１部を構成する部材３ｃは、図６に現れているように基板２５と一体に取扱う為に前側の板体３ａとは別離可能に構成してあり、図１、２のように装着状態では僅かに切れ目３ｅが見える程度に一体化可能に構成してある。
なお本件明細書において「上下及び前後」と、方向を称する場合は、図６の状態の場合で称するものであり、図６のケース本体３の前側３ａが下向きに配置された場合には、上記表現は、「前後（表側と奥側）及び上下」となる。
上記光受信部１３と余長の光ファイバ収容部２４とは、図６に現れているように光ファイバ収容部２４が上側となるように上下に重合させ、光ファイバの余長部分を収納する場合に作業性が向上するようにしてある。
【０００８】
光受信部１３は、通常知られているように外部はシールド効果を有する金属製のケース（シャーシ）１４で構成されており、内部には、光信号をテレビ受像機用の入力信号に変換する為の手段、通常、Ｏ／Ｅ変換手段として知られている電子回路が１５が収められている。また必要に応じては周知のように増幅回路が収まっている。光受信部１３のケース１４は任意の着脱自在に構成されたケース本体３側の取付具、例えば鈎片１０で着脱自在に保持される。ケース（シャーシ）１４の表面には、基板２５の表面よりも高くなるように高さを設定した光アダプタ２０が着脱自在に固着されている。この光アダプタ２０には、ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし、ケース１４の蓋が開閉できるように光ファイバ１７のリード線を長くしてあっても良い。１６、１６ａは周知のテレビ信号用出力端子及びテレビ信号用出力レベル測定端子の存在を示す。
【０００９】
余長の光ファイバ収容部２４において、２５は基板を示し、プラスチックまたは金属などの硬質平板材で形成してある。基板２５は任意の手段、例えばケース本体３に対して直接的に、又はケース本体３に装着されている上記のケース１４に対して着脱自在にねじ部材などを用いて装着する。図６に現れる２５ａは基板２５から延長させたカバーを示し、リード線１７を保護する為のものである。２５ｂは基板２５の上に設けたコネクタ仮止め具の存在を示すものである。
基板２５の上面に対しては、図示のように光ファイバ４４、４５、４６、４７の添え付けを可能とする安全曲率の範囲内で小さい曲率に形成されている周壁２６ａ，２７ａを有する第１巻枠２６と、第２巻枠２７とを並置させてある。安全曲率としては光ファイバのメーカーによって種々な説があるが、一般的には半径が２０ｍｍ〜３０ｍｍあれば安全な曲率といわれている。
【００１０】
第１巻枠２６と、第２巻枠２７とは、基板２５が合成樹脂で成型される場合には一体材で成型される。周壁２６ａ，２７ａには、光ファイバの滑りを止める為に、必要に応じて上下方向に長いスリットが周方向に多数配設してあってもよい。更に巻枠の平面形状は真円であっても良いし、安全曲率以上の曲率を備える楕円形であっても良い。
また、巻枠の周壁２６ａ，２７ａは、基板２５とは別体で形成し、基板２５の所定位置に任意の接合手段、例えば基板２５に多数の孔を穿ち、巻枠の側から延びる多数の爪を嵌合させる手段を用いて、或いは接着剤などを用いて密着状態に装着してもよい。
２８は周壁２６ａ，２７ａに添わせる光ファイバ４４、４５、４６、４７が跳ね上がるのを阻止するために予め周壁２６ａ，２７ａの上部位置に均等に割り付けて配置された複数の跳止爪を示す。この跳止爪２８は周壁２６ａ，２７ａの上部位置から放射方向に向けて一体材で張り出し状に備えさせてある。上記張り出し状の跳止爪における下方の基板２５には、必要に応じて、周知のように成形時に必要な型（中子）を抜き出す為に透孔を設けておくとよい。
【００１１】
上記基板２５の上面に対し、前述のごとく並置されている第１巻枠２６と、第２巻枠２７について説明する。これらの並置の状態は、第１巻枠２６と第２巻枠２７の夫々の中心点位置２６ｆ，２７ｆを中心にして、上記安全曲率が得られる半径で描かれる円弧（周壁２６ａ，２７ａの外周面とほぼ一致する）の一部が半径方向において相互に重合２６７するように、第１巻枠２６と、第２巻枠２７の中心点位置２６ｆ，２７ｆを相互に近づけてある。このように配置すると当然のことながら図１から明らかなように第１巻枠２６と第２巻枠２７の左右全体の幅寸法は狭くなり、専有面積は小さくなる。
【００１２】
第１巻枠２６と第２巻枠２７との上記重合部２６７においては、図１に現れているように構成することにより、第１巻枠２６の外周と、第２巻枠２７の外周に対し、図８，図９の説明から明らかなように夫々個別に光ファイバを安全曲率の範囲内で巻付け可能に構成してある。
その巻付け可能な構成を先ず第１巻枠２６について説明する。図８に現れているように相手方である第２巻枠２７に対して、両側に第１巻枠２６の外周円弧面に向けて夫々開口させた開口部２７ｈを有する空間Ｒ４ａを構成し、かつ、その空間Ｒ４ａの第１巻枠寄りには光ファイバ添付の為の円弧状の周壁２６ａを形成する。
次に、対応相似的に形成されている第２巻枠２７について説明する。図８に現れているように相手方である第１巻枠２６に対して、両側に第２巻枠２７の外周円弧面に向けて夫々開口させた開口部２６ｈを有する空間Ｒ４ｄを構成し、かつ、その空間Ｒ４ｄの第２巻枠寄りには光ファイバ添付の為の円弧状の周壁２７ａを形成する。
【００１３】
さらに、光ケーブル出入口６における導入路Ｒ１と、第１巻枠２６における左回り巻き付けの始端２６ｄとの間に、光ファイバを通過させる為の上記安全曲率以上の曲率に形成した光ファイバ通路Ｒ４ｂが設けられている。この光ファイバ通路Ｒ４ｂは、第２巻枠２７の中間位置において中心点２７ｆ寄りに湾曲させてある。  このような通路Ｒ４ｂを設けることにより、通常、光ケーブル出入口６から挿入される光ファイバは、第１巻枠２６，第２巻枠２７に対して右回りに巻けるのであるが、これを図８，図９から理解できるように、逆向きの左回りに巻き付け可能になる。また上記構成により第２巻枠２７は見ためで巻枠要素２７ｃと、巻枠要素２７ｄと、巻枠要素２７ｅとに分かれる。
なお、光ファイバ通路Ｒ４ａ、Ｒ４ｂ、Ｒ４ｄにおいては、夫々の周壁２６ａ、２７ａ、２７ｇに対向する面に対して光ファイバを案内する壁面が構成されている。
【００１４】
基板２５の上面に対しては、上記第１巻枠２６と第２巻枠２７の夫々の小さい曲率を有する周壁２６ａ，２７ａの外周から遠く離れた位置に、第１巻枠２６と第２巻枠２７を取り囲むように、相互に適当な間隔を隔てて複数個所において光ファイバの外周位置規制用の跳止壁２９ｂを夫々自立状に並設してある。外周位置規制用の跳止壁２９ｂが並設してある位置は、第１巻枠２６と第２巻枠２７の周壁２６ａ、２７ａから大きな間隙を隔てて光ファイバを大きな曲率で配置することを許容するように選定してある。上記跳止壁２９ｂの上部には夫々対応する第１巻枠２６と、第２巻枠２７に向けて延出させた爪２９ａを備えさせ、光ファイバが上方に向けて跳ね上がらないように形成してある。
【００１５】
これらの複数の爪２９ａと、上記複数の跳止爪２８との配列は、図１に示してあるように平面形状において、跳止爪２８の先端と、複数の爪２９ａの先端が相互に入り組んだ状態に配置されている。このことは光ファイバ４４、４５、４６、４７が第１巻枠２６と第２巻枠２７の夫々の周壁２６ａ、２７ａから近い位置にて巻かれた場合は、複数の跳止爪２８によってその浮き上がりは防止され、光ファイバが曲率半径大きく、夫々の周壁２６ａ、２７ａから離れた遠い位置に巻かれた場合は、複数の爪２９ａによってその浮き上がりは防止され、図１のように光ファイバが直線状態或いはやや湾曲した状態では、上方に向けて飛び出すことができないように交互に入れ込み状態で配列してある。
【００１６】
基板２５の上面において、３４、３５は公知の第１と第２のスプライスホルダの存在を示し、光ファイバ４４と４７、４５と４６とを夫々接続するための公知の第１と第２のメカニカルスプライス３６、３７を着脱自在に保持する為のものである。
配設位置としては、邪魔にならないように図１における第１巻枠２６と第２巻枠２７の中間位置の上方に選定してある。
基板２５において、基板２５の上面とほぼ同じ高さに配設してある光アダプタ２０が存在する隅部は、基板２５を欠如させ、光ファイバ４７の自由端に付着させた光コネクタ２１ｂを光アダプタ２０の受口２２に着脱自在に接続できるようにしてある。
【００１７】
光ケーブルの出入口６の近くの基板２５の上面においては、出入口６から巻枠２７に向けて大きな曲率で２芯の光ケーブル４１や、２芯（又は単芯）の光ケーブル４２の出入りを導くために緩やかに上昇するスロープが付された通路Ｒ１が形成されている。
出入口６の近くには上下から光ケーブル４１、４２を弾力的に挟み付ける為に通常知られているように上下の当たり面に弾力部材を備える挟着用部材から成る挟着具３９ａ、３９ｂが配設されており、挿入された光ケーブル４１、４２を着脱自在に保持している。
【００１８】
図１〜図８に現れる構成のものに光ケーブルを敷設する作業は、光ケーブルの出入口６から先端の光ファイバ４４、４５を先頭にして光ファイバ収容部２４に２芯の光ケーブル４１を挿入する。また必要に応じて２芯（又は単芯）の光ケーブル４２をも挿入し、固定する。この状態で通常知られている第１と第２のメカニカルスプライス３６、３７を利用する接続手段（他の任意周知の接続手段でもよい）を用いて光ファイバ４４と４７、及び光ファイバ４５と４６とを接続する。この接続作業においては通常知られている工具を用いるので、光ファイバ４４、４５、４６、４７は比較的長くなければならない。例えば５０ｃｍ以上であることが望ましい。作業員の都合によっては１００ｃｍ以上の場合もある。
【００１９】
上記のようにして光ファイバ相互が接続された後は、図７に現れているように、これらのループ状になっている余長の光ファイバ（余分な長い光ファイバ）を光ファイバ収容部２４に対して綺麗に納めなければならない。
このように引き込まれた光ファイバの余長部分を邪魔にならないように丸め、小嵩に収納する場合、図８、図９において説明するように大小多数の巻態様を選択してきっちり、過不足無くきれいに収納することができる。
なお図面（図８に良く現れている）においてＲ１〜Ｒ１２は光ファイバを配設する場所（通路）を示すものである。
例えば第１の態様は、図８に現れているように二つの巻枠２６、２７の外周に沿って、通路Ｒ２、Ｒ３、Ｒ７、Ｒ６、Ｒ５、Ｒ１０を渡って１巻の長さを長く巻き付ける。
第２の態様は、二つの巻枠２６、２７のいずれか一方の巻枠の外周に倣って最も短く巻き付ける。
第３の態様は、第１巻枠２６と第２巻枠２７の周壁から間隙を隔てて光ファイバを大きな曲率で配置することを許容するように配設されている複数の外周位置規制用の跳止壁２９ｂに沿わせて、図４（Ｂ）に現れているように通路Ｒ２、Ｒ８、Ｒ６、Ｒ９を渡って１巻の長さを最も長く巻く。
【００２０】
第４の態様は、図７に現れているように通路Ｒ１、Ｒ４ｂ、Ｒ９、Ｒ６、Ｒ７、Ｒ３のように、斜めになる通路Ｒ４ｂを利用する巻き方である。このような巻き方を利用すると第１巻枠２６，第２巻枠２７に対して右回り（通路Ｒ３からＲ７に向けての巻き方）に巻くべき光ファイバを、逆向きの左回り（通路Ｒ１０からＲ５に向けての巻き方）に巻き付け可能にする。
従って、挿入口６から通路Ｒ２に向けて入れた複数本の光ファイバを右回りに巻枠に巻いたり、図７のように左回り状に取り出したりすることができ、固定されている器具２０に対し、左から光ファイバを接続できるようになり、光ファイバをきれいに巻いて整理することができる。
第５の態様は、図８に現れているように通路Ｒ１１、Ｒ１２を利用する例がある。ここの中間には第１と第２のスプライスホルダ３４、３５が存在固定されている。従って第１と第２のメカニカルスプライス３６、３７を用いて光ファイバ相互を接続した後は、その第１と第２のメカニカルスプライス３６、３７を第１と第２のスプライスホルダ３４、３５に対して着脱自在に装着することにより、図示のようにこれらに接続される光ファイバを安定させることができる。また、光アダプタ２０に対して光コネクタ２１を介して接続される光ファイバ４７も安定状態を維持する。
【００２１】
次に、光ファイバ相互が接続された後のループ状になっている余長の光ファイバを光ファイバ収容部２４に対して綺麗に納める場合に選択的に利用する大小多数の巻態様を図８、図９を用いて説明する。
図８に示されている「Ｄ１〜Ｄ１３」の矢印は、光ファイバを光ファイバ収容部２４に収納する場合に利用できる光ファイバの配列方向を説明する為の矢印である。
図９において「番号」の欄は巻態様の事例数を示す。「収納する光ファイバの区間」及び「収納する経路の順番」の欄は、始点から終点の間の場所と、図８に示される「Ｄ１〜Ｄ１３」の矢印の向きに光ファイバを収納する場合の事例を示す。右側の説明は配置の場所の概要を示す。
【００２２】
このように光ファイバ接続後、余長部分を収納する場合、上記多数の態様の巻き方を適宜選択利用することにより、光ファイバの余りの長さが大きく、しかも、ループ状で、そのループの長さが適当で定かでない場合でも、光ファイバを仕上がりよく巻き付け、格好の良い仕上がりにすることが可能になる。
しかも上記態様の巻き方は夫々巻枠２６、２７に対して緩く巻き付けても、きつく巻き付けても、巻枠の安全曲率以下にはならないので、光ファイバの曲率が小さくなって損傷することを気にしなくても、必ず安全曲率以上の曲率で巻くことができるようになる。
【００２３】
なお、上記のようにして、ケース本体３の内に光受信部１３と、余長の光ファイバ収容部２４とを任意の手段で装着し、光ファイバ収容部２４に光ファイバを納めた後は通常の利用法方によって利用される。例えばケース本体３に蓋４を被せ、通常の如く家屋に装着する。
その後は出入口６から引き出されている光ケーブル４２に例えば家屋５４内におけるメディアコンバータ５０、パソコン５１を接続して光信号を利用する。又出入口９の接続端子１６から引き出された同軸ケーブルにはセットトップボックス５２、テレビ受像機５３を接続して利用する。
【００２４】
なお、符号５８は、光ファイバを大きな曲率で配置させた場合に、外部に向けて逃げ出すのを防ぐための周壁で、内面は上記安全曲率の範囲内でカーブさせてある。この周壁５８は必要に応じて上記それぞれは独立して立設されている複数の外周位置規制用の跳止壁２９ｂと連続させて、一体に形成するとよい。
以上のように第１巻枠２６と第２巻枠２７との配置、構成を図１のように構成することにより、平面的な専有面積を著しく小さくすることができる。それにより、ケースの外形形状をより小型、コンパクトにすることが可能になる。
【００２５】
【発明の効果】
以上のように本願発明は、引き込まれた光ファイバの余長部分を邪魔にならないように丸め、小嵩に収納する場合、二つの巻枠２６、２７の外周に渡って、又は一つの巻枠２６の外周に倣って巻き付けることにより、光ファイバをきれいに巻いて整理することのできる効果がある。
【００２６】
しかもその場合、巻枠２６、２７に対して緩く巻き付けても、きつく巻き付けても、巻枠の安全曲率以下にはならないので、光ファイバの曲率が小さくなって損傷することを気にしなくても、必ず安全曲率以上の曲率で巻くことができる安全上の効果がある。
【００２７】
光ファイバの余りの長さが大きく、しかも、ループ状で、そのループの長さが適当で定かでない場合でも、二つの巻枠に渡って巻く長い「巻付け長さ」と、光ケーブル出入口６に近い側に存在する一つの巻枠２７の周囲に巻く、最も短い「巻付け長さ」と、光ケーブル出入口６から遠い側に存在する一つの巻枠２６の周囲に巻く、比較的やや長くなる「巻付け長さ」とは長短三様に異なるので、これらについて巻き方を選択することにより、上記ループ状で、長さが定かでない光ファイバを仕上がりよく巻き付け、格好の良い仕上がりにすることができる効果がある。
【００２８】
更に本願発明にあっては、第１巻枠２６と第２巻枠２７との間は、一部において重合させ、重合部においては、そこを、第１巻枠２６の周壁２６ａとしても使え、第２巻枠２７の周壁２７ａとしても使えるようにしたものであるから、巻態様の多様化と、余長部分を巻いた状態で納める部分の平面的な専有面積を小さくすることができ、光受信機全体を小型コンパクトに出来る効果がある。
【００２９】
その上本願発明においては、光ケーブル出入口と、第１巻枠における左回り巻き付けの始端との間に光ファイバを通過させる為の上記安全曲率以上の曲率に形成した光ファイバ通路を設けれることによって、光ケーブル出入口６から挿入される光ファイバは、第１巻枠２６，第２巻枠２７に対して右回りに巻けるのであるが、これを逆向きの左回りに巻き付け可能になる取り扱い上の効果がある。
【００３０】
しかも、上記の二つの巻枠に渡って巻く長い「巻付け長さ」と、一つの巻枠の周囲に巻く短い「巻付け長さ」との他に、本願発明にあっては、上記第１巻枠２６と第２巻枠２７の夫々の小さい曲率を有する周壁２６ａ、２７ａの外周から遠く離れた複数個所に、第１巻枠２６と第２巻枠２７の周壁から間隙を隔てて光ファイバを大きな曲率で配置することを許容するように、光ファイバの外周位置規制用の跳止壁２９ｂを夫々自立状に並設することにより、より大きな曲率で光ファイバをループ状に収めることができる等、多くの態様の巻き方が選択でき、上記ループ状で、長さが定かでない光ファイバをより一層簡便に巻いて整理することのできる作業上の効果がある。
【図面の簡単な説明】
【図１】蓋を除いた状態の一部を破断した光受信機の平面図。
【図２】正面図。
【図３】ＩＩＩ−ＩＩＩ  線断面図。
【図４】ＩＶ−ＩＶ  線断面図。
【図５】Ｖ−Ｖ  線断面図。
【図６】ケース本体と光受信部と光ファイバ収容部との関係を説明する為の分解斜視図。
【図７】光ファイバをメカニカルスプライスで接続し、第１巻枠と第２巻枠に対して巻き付ける方向を説明する為の平面図。
【図８】光ファイバを収容する通路と、配置を説明するための平面図。
【図９】光ファイバの多数の収納態様を説明するための例を示す図。
【符号の説明】
１・・・光受信機、３・・・ケース本体、４・・・蓋体（着脱、開閉）、４ａ・・・止具、５・・・収納空間、６・・・光ケーブル出入口、８・・・ＴＶ出力端子、９・・・ＴＶ出力端子、１０・・・取付具、１３・・・光受信部、１４・・・ケース（シャーシ）、１５・・・回路要素（Ｏ／Ｅ変換器、増幅器）、１６・・・出力端、１６ａ・・・出力端、２０、２１・・・光アダプタ、２４・・・光ファイバ収容部、２５・・・基板、２６・・・第１巻枠、  ２６ａ・・・壁、２７・・・第２巻枠、２７ａ・・・壁、２８・・・跳止爪、２９ａ，ｂ・・・跳止爪（自立型）、２９ｄ・・・跳止壁、３４・・・第１スプライスホルダ、３５・・・第２スプライスホルダ、３６・・・第１メカニカルスプライス、３７・・・第２メカニカルスプライス、４１・・・２芯光ケーブル、４２・・・光ケーブル、４４〜４７・・・光ファイバ、Ｒ１〜Ｒ１２・・・光ファイバ路。
【図１】
2005024760.tif 000003
【図２】
2005024760.tif 000004
【図３】
2005024760.tif 000005
【図４】
2005024760.tif 000006
【図５】
2005024760.tif 000007
【図６】
2005024760.tif 000008
【図７】
2005024760.tif 000009
【図８】
2005024760.tif 000010
【図９】
2005024760.tif 000011